(57)【要約】【課題】  複雑なリンガ信号の送信制御を行うことなく無線ＬＡＮを介して接続される複数のＶＯＩＰ電話端末の間でリンガトーンを同期して鳴動する。【解決手段】  アクセスポイント３は、自分に接続された無線ＶＯＩＰ電話端末４の間で予め統一して設定されたリンガパタンを設定し、そのリンガパタンの鳴動タイミングを一致させる為のタイムスタンプを付けたビーコンを一定周期で送信するとともに、自分に接続された無線ＶＯＩＰ電話端末４を呼び出す為にリンガパルスに代わるショートメッセージの着呼パケットを生成して送信する。無線ＶＯＩＰ電話端末４は、自分を呼び出した着呼パケットを受信した場合、予め各無線ＶＯＩＰ電話端末の間に統一して設定されたリンガパタンと、受信したビーコンから判読したタイムスタンプとを照合することにより同期して鳴動と休止するリンガトーンを出力する。【選択図】  図１
2006197262.tif 000002
【特許請求の範囲】
【請求項１】
着呼情報を出力するＳＩＰサーバと、
前記ＳＩＰサーバと複数の無線ＶＯＩＰ電話端末との間に設けられ、予め定められた時間間隔で鳴動と休止を繰り返すリンガパタンを記憶し、内部タイマを参照して前記リンガパタンの鳴動タイミングを示すタイムスタンプが設定されたビーコンを前記複数の無線ＶＯＩＰ電話端末へ送信し、前記ＳＩＰサーバから着呼情報を受信した場合、少なくとも宛先アドレスと着呼メッセージが設定された着呼パケットを生成して当該宛先アドレスの無線ＶＯＩＰ電話端末へ送信するアクセスポイントと、
送信された前記ビーコンから判読した前記タイムスタンプと自端末が備える内部タイマとを照合し、前記アクセスポイントが生成した前記リンガパタンの鳴動タイミングに同期するリンガ信号を再生する端末であって、前記着呼パケットを受信した端末は再生した前記リンガ信号によりリンガトーンを出力する前記複数の無線ＶＯＩＰ電話端末とを
具備することを特徴とする無線ＶＯＩＰ電話システム。
【請求項２】
前記タイムスタンプは、前記繰り返す周期の時間間隔よりも短い所定の一定の時間間隔で送信されるビーコン毎に設定され、且つ前記無線ＶＯＩＰ電話端末が受信した前記ビーコンには前記リンガトーンの開始タイミングのタイムスタンプが設定されることを特徴とする請求項１に記載の無線ＶＯＩＰ電話システム。
【請求項３】
無線ＶＯＩＰ電話端末は、前記着呼パケットを受信した時、前記リンガトーンによる鳴動のタイミングか、又は休止タイミングであるかを判定することを特徴とする請求項１に記載の無線ＶＯＩＰ電話システム。
【請求項４】
前記判定は、前記着呼パケットを受信した時に示す前記内部タイマのタイムスタンプ又は前記ビーコンを受信した際の最新のタイムスタンプから判定することを特徴とする請求項３に記載の無線ＶＯＩＰ電話システム。
【請求項５】
前記着呼パケットを受信したタイミングが前記休止するタイミングである場合、前記着呼パケットの受信直後に短時間の予備鳴動時間を前記リンガ信号に加えることにより予備鳴動音のリンガトーンとを出力することを特徴とする請求項１に記載の無線ＶＯＩＰ電話システム。
【請求項６】
ＳＩＰサーバと、前記ＳＩＰサーバに接続された無線ＬＡＮのアクセスポイント、および前記アクセスポイントに接続されたＶＯＩＰによって電話を行う複数の無線ＶＯＩＰ電話端末とを備える無線ＶＯＩＰ電話システムの通信制御方法であって、
前記ＳＩＰサーバは、前記無線ＬＡＮのアクセスポイントを介して前記無線ＶＯＩＰ電話端末へ着呼情報を送信し、
前記アクセスポイントは、前記複数の無線ＶＯＩＰ電話端末の間で予め定められた鳴動と休止を繰り返すリンガパタンを記憶し、内部タイマを参照して前記リンガパタンの鳴動タイミングを示すタイムスタンプが設定されたビーコンを前記複数の無線ＶＯＩＰ電話端末へ送信し、前記ＳＩＰサーバから前記着呼情報を受信した場合に、少なくとも宛先アドレスと着呼メッセージが設定された着呼パケットを生成して当該宛先アドレスの無線ＶＯＩＰ電話端末へ送信し、
送信された前記ビーコンに設定されたタイムスタンプを判読して前記アクセスポイントが設定した前記リンガパタンの鳴動タイミングに同期するリンガ信号を再生する前記複数の無線ＶＯＩＰ電話端末の中で、送信された前記着呼パケットを受信する前記無線ＶＯＩＰ電話端末は、前記再生した前記リンガ信号によりリンガトーンを出力することを特徴とする無線ＶＯＩＰ電話システムの通信制御方法。
【請求項７】
前記着呼パケットを受信したタイミングが前記休止する時間である場合、前記着呼パケットの受信直後に短時間の予備鳴動時間を前記リンガ信号に加えることにより予備鳴動音のリンガトーンを出力することを特徴とする請求項６に記載の無線ＶＯＩＰ電話システムの通信制御方法。
【発明の詳細な説明】
【技術分野】
【０００１】
本発明は、無線ＬＡＮを用いた無線ＶＯＩＰ電話システムとその通信制御方法に関する。
【背景技術】
【０００２】
近年、インターネット電話システムの導入が進みＬＡＮ等を介したＶＯＩＰ（Ｖｏｉｃｅ  Ｏｖｅｒ  Ｉｎｔｅｒｎｅｔ  Ｐｒｏｔｏｃｏｌ）電話の利用が進んでいる。ＰＢＸ始め交換機に接続される従来の有線電話では、交換機で生成されるタイミングの揃ったリンガ信号が各電話機に送信される。その結果、複数の電話機に対しそれぞれ異なる発信元から電話がかけられたとしても、各電話機の間では鳴動と休止時間が同期したリンガトーンとして一斉に鳴動する。
【０００３】
ところが、従来の有線電話のリンガ信号は数１０Ｖ以上の大振幅電圧の変調波であるため、交換機の呼接続情報をサーバを介して各ＶＯＩＰ電話端末へ送受信しなければならない。しかしながら、有線電話の回線とインターネット網では物理層が異なっているので、有線電話のリンガ信号は、ＶＯＩＰ電話端末へそのまま送信出来ない。そこで、ＶＯＩＰ電話を取り扱うサーバは、自身に接続されたＶＯＩＰ電話端末への接続要求の検出を交換機が出力する着呼情報によって行うか又は、リンガ信号を変換して検出する。そして、サーバはその接続要求があったＶＯＩＰ電話端末へリンガ信号の代わりにＶＯＩＰ電話端末の宛先アドレスと着呼情報をインターネットを介して送信し、それを受信したＶＯＩＰ電話端末は、宛先アドレスを判読して着呼情報を受信し、リンガトーンを自ら生成することによりベルを鳴らしている。
【０００４】
従って、複数のＶＯＩＰ電話端末に同時にそれぞれ異なった発信元から電話がかけられると、各端末はそれぞれ勝手なタイミングで鳴動するので、同一事務所等に居る人間にとってベル音は煩い雑音になる。この様な各ＶＯＩＰ電話端末の間で鳴動するベル音を揃える為に、サーバが交換機から送信されるリンガ信号の振幅情報とタイミング情報を読みとり、その鳴動パタンをデータパケットにしてＶＯＩＰ電話端末に送信することにより、リンガトーンを同期させる方法がある（例えば、特許文献１。）。
【０００５】
ところが、特許文献１の方法によっても、サーバは数秒間連続した鳴動パタンのリンガ信号のデータパケットをＶＯＩＰ電話端末に送信するためにソフトウェア制御が複雑となり、サーバのＣＰＵの負荷が大きくなる。また、サーバは各ＶＯＩＰ電話端末からの応答を監視して端末毎にリンガ信号の送信を行うように制御しなければならない。更に、リンガ信号を送信するために伝送路のトラフィックを増やす問題がある。特に、無線ＬＡＮを介したＶＯＩＰ電話端末では、無線帯域の制限があるのでリンガ信号の伝送によるトラフィックの増加を避け、また、サーバと無線ＶＯＩＰ電話端末の間にアクセスポイントを介して通信するのでリンガ信号の送信制御を簡単にすることが重要な課題になる。
【特許文献１】特開２００２−３６９２３２号公報  （第４頁、第２図）
【発明の開示】
【発明が解決しようとする課題】
【０００６】
無線ＬＡＮを介したＶＯＩＰ電話システムでは、事務所に設置された複数のＶＯＩＰ電話端末に同時に電話がかけられると、各電話端末では勝手なタイミングでリンガトーンが鳴動して煩い雑音になる問題がある。これを防ぐ為に、サーバによって各ＶＯＩＰ電話端末が一斉に同期してリンガトーンを鳴動する制御が提案されているが、その方法ではサーバの負荷が増加し、また無線ＬＡＮ上のトラフィックが増加する問題があった。
【０００７】
本発明は上記問題を解決するためになされたもので、複雑なリンガ信号の送信制御を行うことなく無線ＬＡＮを介して接続される複数の無線ＶＯＩＰ電話端末の間でリンガトーンの鳴動が同期する無線ＶＯＩＰ電話システム、通信制御方法、およびプログラムを提供することを目的とする。
【課題を解決するための手段】
【０００８】
上記目的を達成するために、本発明の無線ＶＯＩＰ電話システムは、着呼情報を出力するＳＩＰサーバと、前記ＳＩＰサーバと複数の無線ＶＯＩＰ電話端末との間に設けられ、予め定められた時間間隔で鳴動と休止を繰り返すリンガパタンを記憶し、内部タイマを参照して前記リンガパタンの鳴動タイミングを示すタイムスタンプが設定されたビーコンを前記複数の無線ＶＯＩＰ電話端末へ送信し、前記ＳＩＰサーバから着呼情報を受信した場合、少なくとも宛先アドレスと着呼メッセージが設定された着呼パケットを生成して当該宛先アドレスの無線ＶＯＩＰ電話端末へ送信するアクセスポイントと、送信された前記ビーコンから判読した前記タイムスタンプと自端末が備える内部タイマとを照合し、前記アクセスポイントが生成した前記リンガパタンの鳴動タイミングに同期するリンガ信号を再生する端末であって、前記着呼パケットを受信した端末は再生した前記リンガ信号によりリンガトーンを出力する前記複数の無線ＶＯＩＰ電話端末とを具備することを特徴とする。
【０００９】
また、本発明の無線ＶＯＩＰ電話システムの通信制御方法は、ＳＩＰサーバと、前記ＳＩＰサーバに接続された無線ＬＡＮのアクセスポイント、および前記アクセスポイントに接続されたＶＯＩＰ電話を行う複数の無線ＶＯＩＰ電話端末とを備える無線ＶＯＩＰ電話システムの通信制御方法であって、前記ＳＩＰサーバは、前記無線ＬＡＮのアクセスポイントを介して前記無線ＶＯＩＰ電話端末へ着呼情報を送信し、前記アクセスポイントは、前記複数の無線ＶＯＩＰ電話端末の間で予め定められた鳴動と休止を繰り返すリンガパタンを記憶し、内部タイマを参照して前記リンガパタンの鳴動タイミングを示すタイムスタンプが設定されたビーコンを前記複数の無線ＶＯＩＰ電話端末へ送信し、前記ＳＩＰサーバから前記着呼情報を受信した場合に、少なくとも宛先アドレスと着呼メッセージが設定された着呼パケットを生成して当該宛先アドレスの無線ＶＯＩＰ電話端末へ送信し、送信された前記ビーコンに設定されたタイムスタンプを判読して前記アクセスポイントが設定した前記リンガパタンの鳴動タイミングに同期するリンガ信号を再生する前記複数の無線ＶＯＩＰ電話端末の中で、送信された前記着呼パケットを受信する前記無線ＶＯＩＰ電話端末は、前記再生した前記リンガ信号によりリンガトーンを出力することを特徴とする。
【発明の効果】
【００１０】
本発明によれば、複雑なリンガ信号の送信制御をすることなく、無線ＶＯＩＰ電話端末の間でリンガトーンが同期して鳴動する無線ＶＯＩＰ電話システムを提供することが出来る。
【発明を実施するための最良の形態】
【００１１】
以下、図面を参照して本発明の実施例を説明する。
【実施例】
【００１２】
図１は、本発明の実施例に係る無線ＶＯＩＰ電話システムの全体を示す構成図である。
【００１３】
図１において無線ＶＯＩＰ電話システムは、ＳＩＰ（Ｓｅｓｓｉｏｎ  Ｉｎｉｔｉａｔｉｏｎ  Ｐｒｏｔｏｃｏｌ）サーバ１、インターネット網２、ＳＩＰサーバ１とインターネット網２を介して接続されるアクセスポイント３、およびアクセスポイント３と無線ＬＡＮ通信する複数の無線端末４Ａ〜４Ｎ（以下、無線端末４Ａ〜４Ｎに共通する事項の説明にあたっては、単に無線端末４と称する。）を備えている。無線端末４は、アクセスポイント３とインターネット網２を介してＳＩＰサーバ３にアクセスしてＶＯＩＰ電話を行う。
【００１４】
本実施例では、アクセスポイント３と無線端末４との間は、国際標準であるＩＥＥＥ８０２．１１の通信プロトコルに準じた無線ＬＡＮ通信を行う。ＳＩＰサーバ１は、アクセスポイント３を介して無線端末４との間で無線端末のアドレスを付与した音声パケットと、無線端末４への呼出を行う着呼情報のデータパケットを生成して送信する。
【００１５】
アクセスポイント３は、各無線端末４との間のパケット伝送のブリッジとして音声パケットを送受信し、また、着呼時のリンガトーンが同期して鳴動するためのタイムスタンプが設定されたビーコン電波（以下、単にビーコンと称する。）を一定の時間間隔で各無線端末４へ一斉に送信する。このビーコンは、ＩＥＥＥ８０２．１１が規定するマネージメントフレームにタイムスタンプが設定されたものである。図１における無線ＶＯＩＰ電話システムで、各無線端末４にリンガトーンを鳴動させる処理について以下に説明する。
【００１６】
ＳＩＰサーバ１は、外部からインターネット網２を介して無線端末４への電話の着呼情報を受信すると、その宛先である無線端末４のＩＰアドレスを判読する。そして、着呼パケットを生成し、そのＩＰアドレスを持つ無線端末４を接続しているアクセスポイント３を介して当該無線端末４に送信して呼接続処理を行う。
【００１７】
アクセスポイント３と各無線端末４との間では、各無線端末４で揃ってリンガトーンが鳴動するように所定の鳴動（例えば、１秒間）と休止（例えば、２秒間）時間で繰り返される統一されたリンガパタンが設定される。
【００１８】
即ち、アクセスポイント３は、自身に接続された無線端末４のリンガトーンが同期して鳴動するために、リンガパタンと鳴動タイミングを一致させる為のタイムスタンプが設定されたビーコンを一定の時間間隔（例えば、１００ｍｓｅｃの間隔）で各無線端末４に送信する。
【００１９】
図２は、ＩＥＥＥ８０２．１１の規定のパケットのフォーマットの説明図である。
【００２０】
図２において、送信されるビーコンのパケットは、ＭＡＣヘッダＭＨ、フレームボディＦＢ、フレームチェックＦＣＳからなり、ＭＡＣヘッダＭＨには、フレーム制御フィールドｆ１が含まれることを示している。そして、フレーム制御フィールドｆ１に当該パケットがビーコンであることを示す記述、即ち、先頭から８ビットまで「００００１０００」と記述される。また、パケットのフレームボディＦＢにタイムスタンプがマイクロ秒単位で記述され、ここでは、１００ｍｓ毎にリセットされて繰り返される。
【００２１】
一方、各無線端末４は、そのタイムスタンプが設定されたビーコンを受信すると、受信したタイムスタンプに同期したタイミングでリンガトーンが鳴動と休止するリンガパタンのリンガ信号を生成して待機する。
【００２２】
アクセスポイント３から自端末宛の着呼信号を受信した無線端末４は、生成したリンガ信号を出力して鳴動する。同じアクセスポイント３に接続されてログオンしている他の無線端末４も同じタイムスタンプにより同期しているので、これらの無線端末４の間ではリンガトーンの鳴動時間と休止時間が揃って鳴動する。
【００２３】
図３は、図１におけるアクセスポイント３の内部構成を示すブロック図である。以下、図３によりアクセスポイント３の各構成とその処理を説明する。
【００２４】
図３において、アクセスポイント３は、ネットワークインタフェース３１、制御部３２、内部タイマ３３および送受信器３４が内部バスによって接続され、送受信器３４には無線端末４と無線通信するアンテナ３５が接続されている。また、ネットワークインタフェース３１はインターネット網２と接続されている。
【００２５】
制御部３２は、無線端末４との間で送受信するＩＰパケットをネットワークインタフェース３１と送受信器３４との間で入出力して伝送制御を行うことによりブリッジとして機能する。また、制御部３２は、内部タイマ３３を参照して、所定の時間間隔のタイムスタンプを設定したビーコンを生成して送受信器３４に出力する。そして、送受信器３４は、入力されたビーコンをアンテナ３５を介して各無線端末４へ一斉同報により送信する。
【００２６】
また、ＳＩＰサーバ１からインターネット網２とネットワークインタフェース３１を介して着呼情報を受信すると、制御部３２は宛先アドレスをつけたデータパケットに変換して、当該アドレスを持つ無線端末４へ送受信器３４とアンテナ３５を介して送信する。
【００２７】
図４は、図１における無線端末４の内部構成を示すブロック図である。
【００２８】
図４において、無線端末４は、制御部４１、内部タイマ４２、リンガ発生部４３および送受信器４４が内部バスによって接続され、送受信器４４にはアクセスポイント３と無線通信するアンテナ４５が接続されている。
【００２９】
制御部４１は、アンテナ４５と送受信器４４を介してアクセスポイント３との間で送受信するＩＰパケットの送受信制御を行うとともに、リンガ発生部４３を制御してリンガトーンを出力させる。リンガ発生部４３は、リンガトーンを統一されたリンガパタンで鳴動する回路である。このリンガパタンは、リンガ発生部４３に自走発振器を設けて生成するものであっても、制御部４１又は、リンガ発生部４３にリンガパタン情報を記憶して、それに基づいてプログラム制御により生成するものであっても良い。
【００３０】
無線端末４の送受信器４４は、アンテナ４５からビーコンを受信すると、内部バスを介して制御部４１とリンガ発生部４３に当該ビーコンに設定されたタイムスタンプ情報を出力する。制御部４１とリンガ発生部４３は、その情報からタイムスタンプを判読し、内部タイマ４２と照合してアクセスポイント３が生成するリンガパタンと同期する（同じタイミングで鳴動と休止する）リンガ信号を生成して待機する。
【００３１】
制御部４１は、送受信器４４からのデータパケットのアドレスとデータとを判読して自端末への着呼情報を受信すると、制御信号をリンガ発生部４３へ出力する。リンガ発生部４３は、その制御信号に応じてタイムスタンプに同期した（即ち、アクセスポイント３が生成するリンガパタンに同期した）リンガトーンを出力して鳴動する。このリンガパタンは全ての無線端末４で統一して設定されている。
【００３２】
図５は、ビーコンと着呼情報、およびリンガパタンの関係を示すタイミング図である。図５（ａ）は、アクセスポイント３から送信されているビーコンのパケットである（各ビーコンのフォーマットを図２参照。）。
【００３３】
図５（ｂ）は、アクセスポイント３、および各無線端末４の間で統一されているリンガパタンであって、例えば、１秒間の鳴動期間ｒｉに続く２秒間の休止期間ｒｅの組合せのリンガトーンが繰り返される。
【００３４】
リンガトーンの鳴動開始時刻には、時刻「０」をタイムスタンプとしたビーコンｂ０が送信される。以降１００ｍｓｅｃ間隔でタイムスタンプ「１」〜「２９」のビーコン（ｂ１〜ｂ２９）が送信され、３秒経過すると次の繰り返しサイクルに入る。そして、再びリンガトーンが鳴動を開始するタイミングになるので、タイムスタンプが「０」にリセットされたビーコンｂ０が送信される。図５（ａ）でタイムスタンプ「０」は、リンガトーンの鳴動開始（立ち上がり）のタイミングを示し、以降、括弧内の数値は１００ｍｓｅｃ単位で設定されたタイムスタンプである。タイムスタンプ「１０」は、立ち上がり後、１秒経過した時点のタイミングである。
【００３５】
図５（ｃ）、（ｅ）は、ＳＩＰサーバ１が受信する無線端末４Ａ、４Ｂへの着呼信号ｒｂと無線端末４へ着呼を通知する為に送信される着呼パケットｒｃを示している。また、図５（ｄ）、（ｆ）は、着呼パケットを受信した無線端末４Ａ、４Ｂが生成するリンガ信号ｒｓである。
【００３６】
以下、図５、および図６を参照して、本発明の無線ＶＯＩＰ電話システムの各構成の動作と着呼動作を説明する。図６は、無線ＶＯＩＰ電話システムの着呼動作の手順を説明するフローチャートである。
【００３７】
本発明の実施例における無線ＶＯＩＰ電話システムでは、アクセスポイント３と各無線端末４との間では、統一されたリンガパタンが設定されている。そのため、アクセスポイント３の制御部３２および各無線端末４の制御部４１又はリンガ発生部４３の内部メモリには、上記の図５（ｂ）に示される１秒間鳴動、２秒間休止するリンガパタンが予め初期設定されている。（ステップｓ１、ｓ２）。
【００３８】
アクセスポイント３は、タイムスタンプが設定されたビーコンを定期的に（図５（ａ）参照。）各無線端末４へ一斉に送信している。即ち、アクセスポイント３の制御部３２は、内部タイマ３３を参照して、１００ｍｓｅｃ間隔でタイムスタンプが設定されたビーコンｂ０〜ｂ２９を生成して送受信器３４とアンテナ３５を介して送信する（ステップｓ３）。このタイムスタンプは、上記のリンガパタンの鳴動開始タイミング「０」を基準にして設定される。
【００３９】
アンテナ４５と送受信器４４を介してビーコンｂ０〜ｂ２９を受信した各無線端末４の制御部４１は、ビーコンｂ０〜ｂ２９からタイムスタンプを判読して（ステップｓ４）、内部タイマ４２を照合する。そして、アクセスポイント３が生成するリンガパタンのタイミングに同期したリンガ信号を再生して（ステップｓ５）、リンガ発生部４３を待機させる。（各無線端末４は、この時点では着呼がないので、まだリンガトーンは鳴動していない。）。
【００４０】
さて、ＳＩＰサーバ１は、外部からインターネット網２を介して例えば無線端末４Ａ宛の着呼情報を受信すると、インターネット網２を介して無線端末４Ａが接続されているアクセスポイント３へ着呼情報を送信する。アクセスポイント３のネットワークインタフェース３１は、その着呼情報を受信する（ステップｓ６）と、内部バスを介して制御部３２へその着呼情報を出力する（図５（Ｃ））。この着呼情報がアクセスポイント３に入力されたタイミングは、リンガパタンの立ち上がりから１．６秒経過後であるとする。
【００４１】
制御部３２は、その着呼情報から無線端末４Ａのアドレス情報を判読して、無線端末４Ａのアドレス情報が設定された着呼信号ｒｂにデータパケット（以下着呼パケットｒｃと呼ぶ。）を生成して、送受信器３４に出力する（ステップｓ７）。例えば、着呼がある状態では信号レベルが「Ｈ」であるが、アクセスポイント３の制御部３２は、入力された着呼信号ｒｂの立ち上がり時に着呼を示すショートメッセージの着呼パケットｒｃを生成する（図５（ｃ）参照）。そして、着呼パケットｒｃをビーコン「ｂ１６」の送信終了後に送受信器３４に出力する。送受信器３４は、入力された着呼パケットｒｃをアンテナ３５を介して無線端末４Ａへ送信する（ステップｓ８）。
【００４２】
無線端末４Ａの制御部４１は、アンテナ４５と送受信器４４を介して着呼パケットｒｃを受信する（ステップｓ９）と、その宛先アドレスを判読する。そして自端末宛であった場合、着呼パケットｒｃを受信したことを示す応答パケット（図示せず）を送受信器４４とアンテナ４５を介してアクセスポイント３に送信する。なお、アクセスポイント３は、着呼パケットｒｃを送信後、無線端末４Ａから応答パケットが送信されるまで着呼パケットｒｃの送信を繰り返す。
【００４３】
そして、無線端末４Ａの制御部４１は着呼パケットｃｒを受信すると、図５（ｄ）に示す様にリンガ信号ｒｓをリンガ発生部４２へ出力する（ステップｓ１０）。即ち、制御部４１は、着呼パケットｒｃの受信タイミング又は最新のタイムスタンプ「ｂ１６」から着呼パケットｒｃの受信タイミングを調べる（ステップｓ１１）。そこで、タイムスタンプ「ｂ１６」は、休止時間ｒｅに属するタイミング（ステップｓ１２がＮｏ）であるので、リンガトーンを出力するリンガ信号ｒｓをリンガ発生部４３には送信せず、内部タイマ４２を監視しながらタイムスタンプ「ｂ０」になるまで待機する（ステップｓ１３）。そして、次のタイムスタンプ「ｂ０」を受信すると鳴動するタイミングとなり（ステップｓ１２がＹｅｓ）、リンガトーンを出力するリンガ制御ｒｓをリンガ発生部４３に送信する（ステップｓ１４）。これにより、無線端末４Ａのリンガ発生部４３が鳴動時間ｒｉだけ鳴動する。
【００４４】
なお、タイムスタンプ「ｂ１６」の様にリンガパタンが休止する時間である場合には、リンガトーンは鳴動しないので上記ステップｓ１１、ｓ１２を省略してもよい。
【００４５】
以上は、１台の無線端末４Ａについてのリンガトーン制御処理であるが、無線端末４Ａに着呼がある前に、図５（ｅ）のように無線端末４Ｂにも着呼があったとする。その場合、無線端末４Ｂにおけるリンガ信号ｒｓは図５（ｆ）に示す様に、図５（ｂ）のアクセスポイント３が生成するリンガパタンに従って鳴動する。従って、これらの２台の無線端末４Ａと４Ｂからは、鳴動と休止する時間（タイミング）が同期してリンガトーンが出力される。なお、無線端末４Ｂにおける着呼パケットｒｃの受信タイミングは鳴動時間ｒｉであるので、図５（ｆ）ではその一部で鳴動する状態を図示している。
【００４６】
ところで、上記の実施例によれば、無線端末４がリンガトーンの休止時間に着呼情報を受信した場合、鳴動を開始するまでの時間が長くなる。これを解決するため、着呼パケットｒｃを受信次第、予備鳴動音によって着呼を受話者に知らせる（ステップｓ１３−１）手順を加えても良い。
【００４７】
図７は、予備鳴動音を発生する場合の無線端末４Ａの着呼情報、リンガ信号および予備鳴動音との間の対応関係を説明する図である。図７（ａ）〜（ｃ）は、図５（ａ）〜（ｃ）と同様である。そして図７（ｄ）では、図５（ｄ）でのリンガ信号ｒｓに予備鳴動信号ｐｒが加わっている。即ち、図７（ｄ）では、着呼パケットｒｃ受信後に短時間の予備鳴動信号ｐｒがリンガ発生部４３に出力される。リンガ発生部４３は、この予備鳴動信号ｐｒにより予備鳴動した後は鳴動を休止し、上記の様にタイムスタンプ「ｂ０」となると、上記と同様の手順でリンガ発生部４３が鳴動時間ｒｉだけ鳴動を行う。
【００４８】
以上説明したように、本発明による無線ＶＯＩＰ電話システムによれば、アクセスポイントと各無線端末の間で統一したリンガパタンを設定し、記憶し、無線ＬＡＮのアクセスポイントからタイムスタンプが設定されたビーコンを送信することにより、そのタイムスタンプ情報に合わせてリンガトーンの鳴動を同期させることが出来る。
【００４９】
また、無線端末へ着呼を通知する着呼パケットは、通常のデータパケットで構成されるものであるから、各無線端末は、この着呼パケットの受信に対して送信する応答パケットは、ショートメッセージで、かつ通常のデータパケットの応答手順で良い。従って、アクセスポイントおよびＳＩＰサーバは、着呼処理を行う特別なソフトウェア制御を必要としない。そして、リンガ信号は、予め無線端末に記憶されているリンガパタンを読み出して再生されるので、無線ＬＡＮ区間ではリンガ信号が送信されることも無くリンガ信号の伝送によるトラフィック増加が生じない。
【図面の簡単な説明】
【００５０】
【図１】本発明の実施例に係る無線ＶＯＩＰ電話システムの全体構成図。
【図２】ＩＥＥＥ８０２．１１の規定により送信されるパケットのフォーマット。
【図３】アクセスポイントの内部構成を示すブロック図。
【図４】無線端末の内部構成を示すブロック図。
【図５】ビーコンと着呼信号、およびリンガ信号の関係を示すタイミング図。
【図６】本発明の実施例に係る無線ＶＯＩＰ電話システムの着呼動作の手順を説明するフローチャート。
【図７】ビーコンと着呼信号、リンガ信号、および予備鳴動信号の関係を示すタイミング図。
【符号の説明】
【００５１】
１  ＳＩＰサーバ
２  インターネット網
３  アクセスポイント
３１  ネットワークインタフェース
３２  制御部
３３  内部タイマ
３４  送受信器
３５  アンテナ
４Ａ〜４Ｎ  無線端末
４１  制御部
４２  内部タイマ
４３  リンガ発生部
４４  送受信器
４５  アンテナ
【図１】
2006197262.tif 000003
【図２】
2006197262.tif 000004
【図３】
2006197262.tif 000005
【図４】
2006197262.tif 000006
【図５】
2006197262.tif 000007
【図６】
2006197262.tif 000008
【図７】
2006197262.tif 000009